(57)【要約】【課題】  １８０度の範囲で位置決めできる操作便利に優れたハンガー掛けを提供すること。【解決手段】  側プレートを有し、その内縁に噛合部が設けられた位置決め座と、ボルトによって側プレートの間に枢設され、その周縁に切欠部を有する外壁が設けられると共に、切欠部の両側に位置決めプレートが設けられ、切欠部）の対面における外壁に平面部が設けられると共に、内側に取付プレートが設けられ、該取付プレートと平面部との間にばね部材が嵌合された回転部材と、一端に長孔を有する取付ロッドが設けられると共に、両側に円弧部と歯部が設けられ、該取付ロッドが回転部材における位置決めプレートの間に挿入されると共に、ボルトが長孔を貫通し、取付ロッドの末端がばね部材と接触される支持ロッドとを備える。【選択図】        図１
2005230102.tif 000002
【特許請求の範囲】
【請求項１】
位置決め座と、回転部材と、支持ロッドとを備えるハンガー掛けであって、
前記位置決め座はボルトによって互いに組合せる側プレートを有し、その内縁に噛合部が設けられ、
前記回転部材はボルトによって側プレートの間に枢設され、その周縁に切欠部を有する外壁が設けられると共に、切欠部の両側に位置決めプレートが設けられ、
切欠部の対面における外壁に平面部が設けられると共に、内側に取付プレートが設けられ、
該取付プレートと平面部との間にばね部材が嵌合され、
前記支持ロッドの一端に長孔を有する取付ロッドが設けられると共に、両側に円弧部と歯部が設けられ、
該取付ロッドが回転部材における位置決めプレート同士の間に挿入されると共に、ボルトが長孔を貫通し、取付ロッドの末端がばね部材と接触されることを特徴とする、
ハンガー掛け。
【請求項２】
前記位置決め座の一側に突出ブロックを有する係合溝が形成され、該突出ブロックによって側プレート同士の間に所定の間隔を形成され、前記側プレートの内側に内部リングが設けられると共に、中央にボルトを設置するための貫通孔を有するリング状ブロックが設けられ、前記回転部材の中央にボルトを設置するための貫通孔が形成され、平面部の内側にばね部材を安定するためのリブが設けられ、前記ばね部材は両側が湾曲されることにより開口を形成することを特徴とする、請求項１に記載のハンガー掛け。
【請求項３】
前記支持ロッドに掛孔を有する複数の位置決めリング及び掛孔を有する複数のリブが設けられることを特徴とする、請求項１又は請求項２に記載のハンガー掛け。
【発明の詳細な説明】
【技術分野】
【０００１】
本発明は、特に１８０度の範囲で位置決めできる操作便利のハンガー掛けに関するものである。
【背景技術】
【０００２】
ハンガー掛けは一般に立ちロッド又は壁に設けられて、ハンガーをその上に掛けることができる。従来の回転式ハンガー掛け（６）は、図７に示すように互いに組み合う側プレート（６０）を有し、その一端に筒体（６１）を形成した半円形のプレートが設けられると共に、上側に外壁（６２）が設けられ、該外壁（６２）の内側に複数の位置決め孔（６２１）が形成され、下側に複数の位置決め凹部（６５）を有する外壁（６４）が設けられ、更に掛けロッド（７０）にハンガーを引掛けるため複数の掛け部（７１）が形成されると共に、その一端に位置決め凹部（６５）と係止可能な位置決めブロック（７３）を有する取付ロッド（７２）が設けられ、該取付ロッド（７２）に長孔（７２１）が形成されると共に、後端に摺動可能な取付部（７４）が設けられ、回動軸（６３）が取付部（７４）と長孔（７２１）を貫通し、取付ロッド（７２）と取付部（７４）との間にスプリング（７５）が設けられると共に、取付部（７４）の後端に位置決め孔（６２１）と係止可能な位置決めボール（７６）が設けられていて、これらの全ての部品を組み合せて構成されている。
【発明の開示】
【発明が解決しようとする課題】
【０００３】
上記した従来のハンガー掛けは、掛けロッド（７０）の角度を調整する場合、スプリング（７５）のばね力に抵抗して、掛けロッド（７０）を押圧しながら回転する必要があるので、非常に不便である。更に、位置決めブロック（７３）と位置決め凹部（６５）との係止は一点の係止であるため、位置決めボール（７６）と位置決め孔（６２１）を設置しないと、係止効果が悪い。
又、位置決めボール（７６）と位置決め孔（６２１）を設置すると、ハンガー掛けの構造が複雑になるだけでなく、部材の組み合せも面倒である。
【０００４】
又、図８に示すように、前記した回転式ハンガー掛けの構造を改良した台湾特許第３３６６０８４号の回転式ハンガー掛け（８）は、互いに組合する側プレート（８０）を有し、その一端に筒体（８１）が設けられると共に、上側に外壁（８２）が設けられ、該外壁（８２）の内側に複数のホルダー（８２１）が形成され、下側に複数の係止溝（８５）を有する外壁（８４）が設けられ、又、掛けロッド（９０）にハンガーを引掛けるため複数の引掛け部（９１）が形成されると共に、その後端に係止溝（８５）と係止可能の係止ピン（９３）を有する取付部（９２）が設けられ、又、取付部（９２）の後端にピン（８３）によって回動ブロック（９４）が枢設され、該回動ブロック（９４）にスプリング（９５）とボール（９６）が設けられ、該回動ブロック（９４）の前端が取付部（９２）に挿入されると共に、回動ブロック（９４）と取付部（９２）との間にスプリング（９５）が設けられる。
【０００５】
しかしながら、上記した図８のハンガー掛けは操作不便の欠点があると共に、引掛けロッドの回転角度も９０度しかないので、使用上非常に不便である。
【０００６】
本発明は以上の点に鑑みて成されたもので、その目的とするところは、１８０度で位置決めできる操作便利なハンガー掛けを提供することにある。
【課題を解決するための手段】
【０００７】
本発明は、位置決め座（１０）と、回転部材（３０）と、支持ロッド（５０）とを備えるハンガー掛け（１）であって、前記位置決め座（１０）はボルト（２５）によって互いに組合せる側プレート（２０）を有し、その内縁に噛合部（２１）が設けられ、前記回転部材（３０）はボルト（２５）によって側プレート（２０）の間に枢設され、その周縁に切欠部（３１）を有する外壁（３４）が設けられると共に、切欠部（３１）の両側に位置決めプレート（３２）が設けられ、切欠部（３１）の対面における外壁（３４）に平面部（３４１）が設けられると共に、内側に取付プレート（３５）が設けられ、該取付プレート（３５）と平面部（３４１）との間にばね部材（４０）が嵌合され、前記支持ロッド（５０）の一端に長孔（５６）を有する取付ロッド（５５）が設けられると共に、両側に円弧部（５０１）と歯部（５７）が設けられ、該取付ロッド（５５）が回転部材（３０）における位置決めプレート（３２）同士の間に挿入されると共に、ボルト（２５）が長孔（５６）を貫通し、取付ロッド（５５）の末端がばね部材（４０）と接触されることを特徴とするものである。
さらに本発明は、前記ハンガー掛けにおいて、位置決め座（１０）の一側に突出ブロック（１２）を有する係合溝（１１）が形成され、該突出ブロック（１２）によって側プレート（２０）同士の間に所定の間隔を形成され、前記側プレート（２０）の内側に内部リング（２２）が設けられると共に、中央にボルト（２５）を設置するための貫通孔（２４）を有するリング状ブロック（２３）が設けられ、前記回転部材（３０）の中央にボルト（２５）を設置するための貫通孔（３３）が形成され、平面部（３４１）の内側にばね部材（４０）を安定するためのリブ（３４２）が設けられ、前記ばね部材（４０）は両側が湾曲されることにより開口（４１）を形成することを特徴とするものである。
さらに本発明は、前記したハンガー掛けにおいて、前記支持ロッド（５０）に掛孔（５２）を有する複数の位置決めリング（５１）及び掛孔（５４）を有する複数のリブ（５３）が設けられることを特徴とするものである。
【発明の効果】
【０００８】
本発明は上記の課題を解決するものであり、噛合部と歯部によって優れた支持ロッドの位置決め効果を達成することができる。又、支持ロッドは１８０度の範囲で回転可能であるので、使用上の利便性が高い。
【発明を実施するための最良の形態】
【０００９】
以下、添付図面を参照して本発明の好適な実施の形態を詳細に説明する。
【００１０】
図１は本発明に係るハンガー掛けの分解斜視図であり、図２は本発明に係るハンガー掛けの使用状態を示す斜視図であり、図３は本発明に係るハンガー掛けの断面図であり、図４は本発明に係るハンガー掛けの使用状態を示す断面図であり、図５は本発明に係るハンガー掛けにおける掛けロッドを下方へ回転する状態を示す断面図であり、図６は本発明に係るハンガー掛けの他の使用状態を示す断面図である。
【００１１】
図１乃至図３に示すように、本発明に係る回転式ハンガー掛け（１）は位置決め座（１０）と、回転部材（３０）と、支持ロッド（５０）とを備える。位置決め座（１０）はボルト（２５）によって互いに組合せる側プレート（２０）を有し、側プレート（２０）の内縁には噛合部（２１）が設けられる。
【００１２】
前記位置決め座（１０）の一側に突出ブロック（１２）を有する係合溝（１１）が形成され、該突出ブロック（１２）によって側プレート（２０）同士の間に所定の間隔が形成される。
【００１３】
前記側プレート（２０）の内側に内部リング（２２）が設けられると共に、中央にボルト（２５）を設置するための貫通孔（２４）を有するリング状ブロック（２３）が設けられる。
【００１４】
前記回転部材（３０）はボルト（２５）によって側プレート（２０）の間に枢設され、その周縁に切欠部（３１）を有する外壁（３４）が設けられると共に、切欠部（３１）の両側に位置決めプレート（３２）が設けられる。又、切欠部（３１）の対面における外壁（３４）に平面部（３４１）が設けられると共に、内側に取付プレート（３５）が設けられ、該取付プレート（３５）と平面部（３４１）との間にばね部材（４０）が嵌合される。
【００１５】
前記回転部材（３０）の中央にボルト（２５）を設置するための貫通孔（３３）が形成され、又、平面部（３４１）の内側にばね部材（４０）を安定するためのリブ（３４２）が設けられる。
【００１６】
又、前記支持ロッド（５０）の一端に長孔（５６）を有する取付ロッド（５５）が設けられると共に、両側に円弧部（５０１）と歯部（５７）が設けられ、該取付ロッド（５５）が回転部材（３０）における位置決めプレート（３２）同士の間に挿入されると共に、ボルト（２５）が長孔（５６）を貫通し、取付ロッド（５５）の末端がばね部材（４０）と接触されることにより、歯部（５７）及び噛合部（２１）との噛合状態を制御する。
【００１７】
前記ばね部材（４０）は両側が湾曲されることにより開口（４１）を形成するものであり、支持ロッド（５０）の取付ロッド（５５）がばね部材（４０）と接触する際、該開口（４１）によって取付ロッド（５５）を付勢（弾性的に反発）する。又、噛合部（２１）と歯部（５７）の噛合は面の接触であるので、支持ロッド（５０）の位置決め効果を向上することができる。
【００１８】
更に、取付ロッド（５５）の歯部（５７）と噛合部（２１）の噛合は片方向の噛合であるので、支持ロッド（５０）は上方へ角度を調整する場合、支持ロッド（５０）を上方へ押圧することにより、簡単に調整することができる。
【００１９】
又、図４及び図５に示すように、支持ロッド（５０）は下方へ角度を調整する場合、支持ロッド（５０）を内側へ押圧すると共に、ばね部材（４０）を付勢させることによって噛合部（２１）及び歯部（５７）を係脱させることにより、支持ロッド（５０）を下方へ回転することができる。又、支持ロッド（５０）を押圧しないと、ばね部材（４０）の付勢力により、噛合部（２１）と歯部（５７）は再び係止状態となる。
【００２０】
又、図１及び図２に示すように、前記支持ロッド（５０）に掛孔（５２）を有する複数の位置決めリング（５１）が設けられ、二つのハンガー掛け（１）における位置決めリング（５１）の掛孔（５２）に掛けロッド（５８）を設置することにより、ハンガーが掛けロッド（５８）に引掛けることができる。又、支持ロッド（５０）に掛孔（５４）を有する複数のリブ（５３）が設けられることにより、ハンガーが掛孔（５４）に引掛けることができる。又、支持ロッド（５０）は１８０度の範囲で回転することができるので、使用上の利便性が高い。
【００２１】
更に、図６に示すように、本発明に係るハンガー掛け（１）は筒体（５９）が設けられると共に、ネジが位置決め座（１０）の位置決め孔（１３）と立ちロッド（５９１）を貫通することにより、立ちロッド（５９１）に設置することができ、使用上の利便性が高い。
【図面の簡単な説明】
【００２２】
【図１】本発明に係るハンガー掛けの分解斜視図である。
【図２】本発明に係るハンガー掛けの使用状態を示す斜視図である。
【図３】本発明に係るハンガー掛けの断面図である。
【図４】本発明に係るハンガー掛けの使用状態を示す断面図である。
【図５】本発明に係るハンガー掛けにおける掛けロッドを下方へ回転する状態を示す断面図である。
【図６】本発明に係るハンガー掛けの他の使用状態を示す断面図である。
【図７】本発明が前提とする従来のハンガー掛けを示す断面図である。
【図８】本発明が前提とする従来の他のハンガー掛けの断面図である。
【符号の説明】
【００２３】
１          ハンガー掛け
１０        位置決め座
１１        係合溝
１２        突出ブロック
１３        位置決め孔
２０        側プレート
２１        噛合部
２２        内部リング
２３        リング状ブロック
２４        貫通孔
２５        ボルト
３０        回転部材
３１        切欠部
３２        位置決めプレート
３３        貫通孔
３４        外壁
３４１      平面部
３４２      リブ
３５        取付プレート
４０        ばね部材
５０        支持ロッド
５０１      円弧部
５１        位置決めリング
５２        掛孔
５３        リブ
５４        掛孔
５５        取付ロッド
５６        長孔
５７        歯部
５８        掛けロッド
５９        筒体
５９１      立ちロッド
６          ハンガー掛け
６０        側プレート
６１        筒体
６２        外壁
６２１      位置決め孔
６３        回動軸
６４        外壁
６５        位置決め凹部
７０        掛けロッド
７１        掛け部
７２        取付ロッド
７２１      長孔
７３        位置決めブロック
７４        取付部
７５        スプリング
７６        位置決めボール
８          ハンガー掛け
８０        側プレート
８１        筒部
８２        外壁
８２１      ホルダー
８３        ピン
８４        外壁
８５        係止溝
９０        アーム
９１        引掛け部
９２        取付部
９３        係止ピン
９４        回動ブロック
９５        スプリング
９６        ボール
【図１】
2005230102.tif 000003
【図２】
2005230102.tif 000004
【図３】
2005230102.tif 000005
【図４】
2005230102.tif 000006
【図５】
2005230102.tif 000007
【図６】
2005230102.tif 000008
【図７】
2005230102.tif 000009
【図８】
2005230102.tif 000010